(57)【要約】【課題】表示パターンごとに配線を行うことなく、対向する一対の電極間の電圧値の制御のみで表示パターンを変化させることが可能な表示素子を提供する。【解決手段】対向して配設される一対の透明基板２ａ，２ｂの対向面にそれぞれ付設される一対の透明電極３ａ，３ｂと、透明電極３ａ，３ｂが対向している対向空間４に形成される高分子ネットワーク５及び高分子ネットワーク５に内在し、電場に応じて配向性を有する液晶分子６からなる液晶層７と、透明電極３ａ，３ｂ間に電圧を印加する電圧印加手段２０とを備え、透明電極３ａ，３ｂの面領域が複数の区画領域８，９に区画されており、当該区画領域８，９に対応する対向空間４に形成される高分子ネットワーク５が、区画領域８，９に応じて異なる電気光学特性を有する。【選択図】図１
2013156342.tif 000002
【特許請求の範囲】
【請求項１】
対向して配設される一対の透明基板と、
前記透明基板の対向面にそれぞれ付設される一対の透明電極と、
前記透明電極が対向している対向空間に形成されるネットーワーク状の高分子からなる高分子ネットワークと、
前記高分子ネットワークに内在し、電場に応じて配向性を有する液晶分子と、
前記透明電極間に電圧を印加する電圧印加手段とを備え、
前記透明電極の面領域が複数の区画領域に区画されており、当該区画領域に対応する前記対向空間に形成される前記高分子ネットワークが、当該区画領域に応じて少なくとも二以上の異なる電気光学特性を有することを特徴とする表示素子。
【請求項２】
請求項１に記載の表示素子において、
前記高分子ネットワークが前記透明電極の面全体において一の共通した材料からなり、
前記区画領域に応じて前記高分子ネットワークが変質されていることを特徴とする表示素子。
【請求項３】
請求項２に記載の表示素子において、
前記高分子ネットワークが、外部からの光及び／又は熱エネルギーにより変質する材料からなり、前記区画領域に応じて異なる大きさの前記光及び／又は熱エネルギーの付加により、前記高分子ネットワークの電気光学特性を前記区画領域に応じて異ならせることを特徴とする表示素子。
【請求項４】
請求項３に記載の表示素子において、
前記高分子ネットワークが紫外線の照射により硬化する紫外線硬化型の高分子ネットワークであり、前記区画領域に応じて異なる強度の紫外線を照射することにより、前記高分子ネットワークの電気光学特性を前記区画領域に応じて異ならせることを特徴とする表示素子。
【請求項５】
請求項１ないし４のいずれかに記載の表示素子において、
前記電圧印加手段が、前記区画領域に応じた異なる電気光学特性に基づいて、前記透明電極間に印加する電圧値を制御し、前記区画領域における光の透過及び散乱を制御することを特徴とする表示素子。
【請求項６】
液晶分子が混在する高分子材料を、透明電極及び透明基板が一体となった平板状の一対のフィルム間に充填して挟着し、前記高分子材料及び前記液晶分子が充填されたフィルムに外部からの光及び／又は熱エネルギーを付加して、前記高分子材料を重合して高分子ネットワークを形成する重合工程を含み、
当該重合工程が、複数の区画領域に区画された前記フィルムの当該区画領域に応じて、付加する前記光及び／又は熱エネルギーの大きさを調整することを特徴とする表示素子製造方法。
【請求項７】
請求項６に記載の表示素子製造方法において、
前記重合工程が、前記フィルムに照射する紫外線の強度及び／又は前記フィルムの温度を調整することを特徴とする表示素子製造方法。
【請求項８】
請求項７に記載の表示素子製造方法において、
前記重合工程が、前記区画領域に応じて紫外線透過率が異なるマスクを通して前記紫外線を照射する表示素子製造方法。
【発明の詳細な説明】
【技術分野】
【０００１】
本発明は、ＰＤＬＣ（高分子分散型液晶）を用いた表示素子に関する。
【背景技術】
【０００２】
通常、液晶ディスプレイなどに画像を表示する場合は、画素ごとに配線及び駆動素子を配設し、各画素ごとに色調等を制御することで画面全体に所望の画像を表示している。これは、画素ごとの制御により実現されるものであるが、ＰＤＬＣを用いた表示素子の場合は、液晶ディスプレイと原理が全く異なっており、画素ごとの制御で画像を表示することが困難であり、特に大型のディスプレイにおいては画素ごとの制御による画像の表示が極めて困難となっている。
【０００３】
ＰＤＬＣの原理を図９に示す。ＰＤＬＣは、一対の対向する平面状の透明基板２ａ，２ｂの内面側に、一対の平面状の透明電極３ａ，３ｂを備え、透明電極３ａ，３ｂ間の対向空間４に高分子がネットワーク状に形成されており（高分子ネットワーク５）、その中に液晶分子６が不規則に並んで内在している。透明電極３ａ，３ｂ間には電圧印加手段２０により電圧が印加される。透明電極３ａ，３ｂ間に電圧が印加されない状態（以下、ＯＦＦ状態とする）では、不規則に並んだ液晶分子６が入射光を散乱し、白濁した不透明な状態を作る（図９（Ａ）を参照）。一方、透明電極３ａ，３ｂ間に電圧が印加された状態（以下、ＯＮ状態とする）では、不規則に並んでいた液晶分子６が透明電極に対して垂直方向に揃うため、入射光を透過して透明な状態を作る（図９（Ｂ）を参照）。
【０００４】
この高分子分散型液晶を用いた表示装置で、所望の画像を表示する技術として、例えば特許文献１に示す技術が開示されている。特許文献１に示す技術は、表示マークへの配線部分が表示されたり、表示マークの縁取りだけが表示されたりするといった不都合を防止しつつ、背景となる画像に所望の表示をスーパーインポーズすることができる液晶表示装置に関するものであり、所望の表示を実現するために表示パターンごとに配線パターンが結線されており、当該表示パターンごとに電圧を制御して所望の表示を行うことが開示されている。また、表示パターンの輪郭が表示されない効果について言及されている。
【先行技術文献】
【特許文献】
【０００５】
【特許文献１】特開２００１−２７２６９０号公報
【発明の概要】
【発明が解決しようとする課題】
【０００６】
しかしながら、特許文献１に示す技術は、表示パターンごとに配線されているため、配線パターンが複雑化するのに伴って電圧の制御が複雑化してしまうという課題を有する。また、配線パターンが複雑化するため、製造工程も複雑化してしまい、製造効率が悪くなってしまうという課題を有する。さらにまた、配線の引き回し等により抵抗値が増大し、駆動電圧が上昇してしまうという課題を有する。さらにまた、表示パターンごとに結線されているため、表示面内に結線が見えてしまい美観性が損なわれるという課題を有する。
【０００７】
本発明は、表示パターンごとに配線を行うことなく、対向する一対の電極間の電圧値の制御のみで表示パターンを変化させることが可能な表示素子を提供する。
【課題を解決するための手段】
【０００８】
本発明に係る表示素子は、対向して配設される一対の透明基板と、前記透明基板の対向面にそれぞれ付設される一対の透明電極と、前記透明電極が対向している対向空間に形成されるネットーワーク状の高分子からなる高分子ネットワークと、前記高分子ネットワークに内在し、電場に応じて配向性を有する液晶分子と、前記透明電極間に電圧を印加する電圧印加手段とを備え、前記透明電極の面領域が複数の区画領域に区画されており、当該区画領域に対応する前記対向空間に形成される前記高分子ネットワークが、当該区画領域に応じて少なくとも二以上の異なる電気光学特性を有するものである。
【０００９】
このように、本発明に係る表示素子においては、ＰＤＬＣの高分子ネットワークが、区画された区画領域に応じて異なる電気光学特性を有するため、透明電極間の電圧値を制御するだけで、簡単に区画領域ごとのＯＮ／ＯＦＦの状態を制御することができ、所望のパターンを表示することができるという効果を奏する。
【００１０】
また、区画領域ごとに配線パターンの結線等の特別な処理を行う必要がないため、構造を簡略化することができ、製造の手間を省いて製造効率を上げることができるという効果を奏する。さらに、複雑な配線等を用いた複雑な制御を行う必要がないため、利用者の使い勝手が良くなるという効果を奏する。さらにまた、配線の引き回し等による抵抗値の増大を防止し、駆動電圧を上げることなく所望のパターンを表示することができるという効果を奏する。さらにまた、配線パターンの結線等が不要であるため、表示面内に結線が見えてしまい美観性が損なわれてしまうといったことがなくなる。
【００１１】
本発明に係る表示素子は、前記高分子ネットワークが前記透明電極の面全体において一の共通した材料からなり、前記区画領域に応じて前記高分子ネットワークが変質されているものである。
【００１２】
このように、本発明に係る表示素子においては、高分子ネットワークが透明電極の面全体において一の共通した材料からなり、区画領域に応じて高分子ネットワークが変質されているため、区画領域に応じて高分子ネットワークを変質させるだけで、容易に区画領域ごとの電気光学特性を変えることができ、一対の透明電極の電圧値のみで所望の表示パターンを確実に表示しつつ、製造工程を簡略化することができるという効果を奏する。
【００１３】
本発明に係る表示素子は、前記高分子ネットワークが、外部からの光及び／又は熱エネルギーにより変質する材料からなり、前記区画領域に応じて異なる大きさの前記光及び／又は熱エネルギーの付加により、前記高分子ネットワークの電気光学特性を前記区画領域に応じて異ならせるものである。
【００１４】
このように、本発明に係る表示素子においては、高分子ネットワークの電気光学特性が、区画領域ごとに付加された大きさが異なる光及び／又は熱エネルギーにより形成されるため、付加するエネルギーの大きさを調整するだけで、区画領域に応じて電気光学特性を変えることができ、製造工程において格段に効率化が図れるという効果を奏する。
【００１５】
本発明に係る表示素子は、前記高分子ネットワークが紫外線の照射により硬化する紫外線硬化型の高分子ネットワークであり、前記区画領域に応じて異なる強度の紫外線を照射することにより、前記高分子ネットワークの電気光学特性を前記区画領域に応じて異ならせるものである。
【００１６】
このように、本発明に係る表示素子においては、高分子ネットワークが紫外線の照射により硬化する紫外線硬化型の高分子ネットワークであり、当該高分子ネットワークの電気光学特性が、区画領域ごとに照射された強度が異なる紫外線により形成されるため、紫外線強度を調整するだけで、区画領域ごとに電気光学特性を変えることができ、製造工程において格段に効率化が図れるという効果を奏する。
【００１７】
本発明に係る表示素子は、前記電圧印加手段が、前記区画領域に応じた異なる電気光学特性に基づいて、前記透明電極間に印加する電圧値を制御し、前記区画領域における光の透過及び散乱を制御するものである。
【００１８】
このように、本発明に係る表示素子においては、一対の透明電極間に印加する電圧値を制御し、区画領域における光の透過及び散乱を制御するため、区画領域ごとに電圧値を制御するような複雑な処理を行う必要がなく、電圧値の値のみを調整することで簡単に所望の表示パターンを表示することができるという効果を奏する。
【００１９】
本発明に係る表示素子製造方法は、液晶分子が混在する高分子材料を、透明電極及び透明基板が一体となった平板状の一対のフィルム間に充填して挟着し、前記高分子材料及び前記液晶分子が充填されたフィルムに外部からの光及び／又は熱エネルギーを付加して、前記高分子材料を重合して高分子ネットワークを形成する重合工程を含み、当該重合工程が、複数の区画領域に区画された前記フィルムの当該区画領域に応じて、付加する前記光及び／又は熱エネルギーの大きさを調整するものである。
【００２０】
このように、本発明に係る表示素子製造方法においては、高分子材料と液晶分子を透明電極と透明基板が一体化したフィルムで挟着し、光及び／又は熱を付加して高分子材料を重合して表示素子を製造する際に、予め区画された複数の区画領域に応じて、付加する光及び／又は熱エネルギーの大きさを調整するため、エネルギーの大きさを変えるだけで、区画領域ごとに電気光学特性を簡単に異ならせることができ、所望の画像を表示することができる表示素子を効率的に製造することができるという効果を奏する。
【００２１】
本発明に係る表示素子製造方法は、前記重合工程が、前記フィルムに照射する紫外線の強度及び／又は前記フィルムの温度を調整するものである。
【００２２】
このように、本発明に係る表示素子製造方法においては、フィルムに照射する紫外線の強度及び／又はフィルムの温度を調整するため、紫外線強度や温度により、高分子ネットワークの電気光学特性をより厳密に調整することができるという効果を奏する。
【００２３】
本発明に係る表示素子製造方法は、前記重合工程が、前記区画領域に応じて紫外線透過率が異なるマスクを通して前記紫外線を照射するものである。
【００２４】
このように、本発明に係る表示素子製造方法においては、区画領域に応じて紫外線透過率が異なるマスクを通して紫外線を照射するため、マスクを用意するだけで簡単に区画領域ごとに電気光学特性を異ならせることができ、製造効率を格段に向上させることができるという効果を奏する。
【図面の簡単な説明】
【００２５】
【図１】第１の実施形態に係る表示素子の構造を示す図である。
【図２】図１の表示素子における閾値電圧と表示態様を示す図である。
【図３】第１の実施形態に係る表示素子の表示態様の一例並びに電圧及びヘイズ値の関係を示す図である。
【図４】図３の表示素子における表示態様を示す図である。
【図５】第１の実施形態に係る表示素子の製造工程を示すフローチャートである。
【図６】紫外線照射工程の処理を示す図である。
【図７】紫外線強度により電気光学特性が変化することが確認された実験結果を示す図である。
【図８】温度により電気光学特性が変化することが確認された実験結果を示す図である。
【図９】ＰＤＬＣの原理を示す図である。
【発明を実施するための最良の形態】
【００２６】
以下、本発明の実施の形態を説明する。本発明は多くの異なる形態で実施可能である。また、本実施形態の全体を通して同じ要素には同じ符号を付けている。
【００２７】
（本発明の第１の実施形態）
本実施形態に係る表示素子について、図１ないし図６を用いて説明する。図１は、本実施形態に係る表示素子の構造を示す図、図２は、図１の表示素子における閾値電圧と表示態様を示す図、図３は、本実施形態に係る表示素子の表示態様の一例並びに電圧及びヘイズ値の関係を示す図、図４は、図３の表示素子における表示態様を示す図、図５は、本実施形態に係る表示素子の製造工程を示すフローチャート、図６は、紫外線照射工程の処理を示す図である。
【００２８】
本実施形態に係る表示素子は、図９に示したようなＰＤＬＣを用いた表示素子であり、予め区画された区画領域ごとにＯＮ状態／ＯＦＦ状態を制御するものである。図１において、表示素子１は、一対の透明基板２ａ，２ｂ（図１においては図示しない）の内面側に一対の透明電極３ａ，３ｂ（例えば、ＩＴＯ等）を備える。透明電極３ａ，３ｂは、電圧値を任意に可変することが可能な電圧印加部２０に接続されており、透明電極３ａ，３ｂ間に任意の電圧が印加される。対向する透明電極３ａ，３ｂ間の対向空間４には、高分子がネットワーク状に形成された高分子ネットワーク５（図１においては図示しない）と、その高分子ネットワーク５の中に不規則に並んで内在する液晶分子６（図１においては図示しない）とからなる液晶層７を有する。
【００２９】
透明電極３ａ，３ｂの面領域は、予め複数の区画領域（図１においては、区画領域８，９）に区画されており、当該区画領域８，９に対応する対向空間４に形成される液晶層７の高分子ネットワーク５が、区画領域８，９に応じて異なる電気光学特性を有する。なお、区画領域８，９に応じた異なる電気光学特性の実現は、例えば、区画領域８，９ごとに電気光学特性が異なる材料を用いるようにしてもよいし、後述するように、紫外線により硬化する紫外線硬化型の高分子ネットーワーク５を形成し、照射する紫外線強度や温度特性を利用することにより区画領域８，９ごとに電気光学特性を異ならせるようにしてもよい。
【００３０】
それぞれの区画領域８，９に対応する閾値電圧を図２（Ａ）に示す。図２（Ａ）は、横軸が図１の透明電極における座標（Ａ−Ａ’及びＢ−Ｂ’）で縦軸が閾値電圧である。この閾値電圧とは、表示態様が白濁のＯＦＦ状態から透明のＯＮ状態に変化する際の透明電極３ａ，３ｂ間の電圧値である。
【００３１】
図１及び図２（Ａ）のグラフからわかる通り、区画領域９に相当するＡ−Ｂ及びＢ’−Ａ’間の閾値電圧Ｖ１と、区画領域８に相当するＢ−Ｂ’間の閾値電圧Ｖ２とは異なっている。すなわち、電圧値が０からＶ１までの間は、図２（Ｂ）に示すように、表示素子１は全体が白濁したＯＦＦ状態となる。電圧値がＶ１〜Ｖ２までの間は、Ａ−Ｂ及びＢ’−Ａ’間、すなわち区画領域９のみが透明のＯＮ状態に変化する。電圧値がＶ２以上になると、表示素子１は全体が透明のＯＮ状態となる。したがって、透明電極３ａ，３ｂに印加する電圧値を制御するだけで、区画領域８，９ごとにＯＮ状態／ＯＦＦ状態の制御が可能となる。
【００３２】
なお、ここでは、わかりやすくするために図２（Ｂ）及び図２（Ｄ）において図形の輪郭を記載しているが、本実施形態に係る表示素子１においては、後述するように特別なエッチング処理や配線等の処理を行う必要がないため、これらの輪郭が表示されることはない。また、電圧値の制御は、例えば、スライダック（ＳＬＩＤＡＣ）（登録商標）やタップ切替等により行うようにしてもよい。
【００３３】
図３及び図４を用いて、区画領域ごとの電気光学特性と表示態様の関係をより詳細に説明する。図３（Ａ）に示すように、表示素子１の表示領域全体が区画領域８ないし１１に区画されているとする。各区画領域８ないし１１は、それぞれが異なる閾値電圧を持つ。区画領域ごとに異なる閾値を持たせるために、ここでは、高分子ネットワーク５に紫外線硬化型の材料を用い、区画領域８ないし１１ごとに照射する紫外線強度を変える。区画領域８ないし１１ごとに照射する紫外線強度を変えた場合の各区画領域８ないし１１ごとの電気光学特性の一例を図３（Ｂ）に示す。
【００３４】
図３（Ｂ）において、横軸が透明電極３ａ，３ｂ間に印加される電圧値であり、縦軸がヘイズ値である。また、図３（Ａ）における区画領域８の閾値電圧をＶｔｈ１、区画領域１０の閾値電圧をＶｔｈ２、区画領域１１の閾値電圧をＶｔｈ３、区画領域９の閾値電圧をＶｔｈ４とする。照射する紫外線強度を区画領域ごとに、区画領域８＜区画領域１０＜区画領域１１＜区画領域９とすることで、図３（Ｂ）に示す電気光学特性が得られ、それぞれの区画領域に応じた異なる値の閾値電圧を得ることができる。
【００３５】
なお、区画領域ごとに紫外線強度を変える際には、後述するように、予め区画領域に対応する領域ごとに、異なる紫外線透過率を有するマスクを用意し、そのマスクを用いることで区画領域ごとに照射する紫外線の強度を変えることができる。また、図３においては、区画領域８ないし１１がそれぞれ異なる電気光学特性となる構成としたが、全てが異なる必要はなく、同じ電気光学特性を有する区画領域が存在してもよい。例えば、区画領域８と区画領域１１は、同じ電気光学特性を有し、閾値電圧が共通のＶｔｈ１となるようにしてもよい。
【００３６】
図３における各区画領域９ないし１１の異なる電気光学特性を利用した表示素子１の駆動方法を具体的に説明する。図４（Ａ）は、透明電極３ａ，３ｂ間の電圧値Ｖが、Ｖ＜Ｖｔｈ１の場合であり、このときは全ての区画領域において電圧値が閾値電圧未満であるため、表示素子１は全体が白濁のＯＦＦ状態となる。図４（Ｂ）は、Ｖｔｈ１＜Ｖ＜Ｖｔｈ２の場合であり、区画領域８においてのみ電圧値が閾値電圧以上であるため、区画領域８のみが透明のＯＮ状態となる。図４（Ｃ）は、Ｖｔｈ２＜Ｖ＜Ｖｔｈ３の場合であり、区画領域８及び１０において電圧値が閾値電圧以上であるため、区画領域８及び１０が透明のＯＮ状態となる。図４（Ｄ）は、Ｖｔｈ３＜Ｖ＜Ｖｔｈ４の場合であり、区画領域８、１０及び１１において電圧値が閾値電圧以上であるため、区画領域８、１０及び１１が透明のＯＮ状態となる。図４（Ｅ）は、Ｖｔｈ４＜Ｖの場合であり、全ての区画領域９ないし１１において電圧値が閾値電圧以上であるため、表示素子１は全体が透明のＯＮ状態となる。
【００３７】
このように、透明電極３ａ，３ｂ間の印加電圧を制御するだけで、簡単に表示素子１の表示画像を切り替えて表示することができる。また、特別な配線等は必要なく、一対の透明電極３ａ，３ｂ間の配線のみで制御可能である。さらに、従来から行われているように、表示する画像に応じてレーザや化学処理によりでエッチングし、領域ごとに配線して結線するような手間な作業が一切必要なくなる。さらにまた、そのようなエッチングを行うことがないため、画像の輪郭（境界線）等が浮き出て見えてしまうようなこともない。さらにまた、透明電極３ａ，３ｂ間の印加電圧の制御により、表示された画像を切り替える際にワイプやフェード等の切替効果を実現することが可能となる。
【００３８】
次に、本実施形態に係る表示素子１の製造方法について説明する。図５は、製造工程の一例を簡略化したフローチャートである。まず、透明電極３ａと透明基板２ａが一体となったものを上フィルムとし、透明電極３ｂと透明基板２ｂが一体となったものを下フィルムとする。下フィルム上に、液晶分子６と、外部からの光エネルギー（ここでは、紫外線とするが高分子材料に応じて紫外線以外の波長領域の光エネルギーであってもよい）により変質する高分子材料とを少なくとも含む液晶層７を塗布する（Ｓ５１）。液晶層７が塗布された下フィルムに上フィルムを重ね合わせて液晶層７を挟着して一体化する（Ｓ５２）。
【００３９】
一体化されたフィルムに対して、紫外線（高分子材料に応じて紫外線以外の波長領域の光エネルギーであってもよい）を照射して液晶層７を重合する（Ｓ５３）。この重合工程について、具体例を図６に示す。
【００４０】
図６において、図３の場合と同じように、表示素子１の表示領域が区画領域８ないし１１に区画されるように電気光学特性を決める。この場合、前述したように区画領域８ないし１１に対応する領域ごとに紫外線透過率が異なるマスク１３を利用する。すなわち、図３の場合と同様の電気光学特性を得るために、マスク１３における区画領域８ａないし１１ａごとの紫外線透過率ＵＶをＵＶ８ａ＜ＵＶ１０ａ＜ＵＶ１１ａ＜ＵＶ９ａとする。このような紫外線透過率を有するマスク１３を通して、切り出されたフィルム１２に紫外線を照射することで、区画領域８ないし１１ごとに異なる紫外線強度を容易に照射することが可能となる。
【００４１】
なお、このとき、紫外線強度に加えて局所的に重合温度を変えることでも電気光学特性を異ならせることが可能である。つまり、同じ紫外線強度であっても、温度に差がある場合は、その温度差に応じて電気光学特性を異ならせることができる。また、高分子材料として、光エネルギーにより変質するものではなく、熱エネルギーにより変質するものを用いてもよい。その場合は、重合工程において光を照射する必要はなく、フィルムの温度を調整することで区画領域に応じた異なる電気光学特性を生じさせる。
【００４２】
温度の調整により区画領域に応じた異なる電気光学特性を生じさせる場合は、熱伝導率を利用して熱源からの距離に応じて、電気光学特性を連続的に（アナログ的に）異ならせるようにすることができ、画像の切替効果のバリエーションをより幅広く実現することができる。同様に、紫外線を照射する紫外線強度を座標（位置）に応じて連続的に（アナログ的に）変化させることで、電気光学特性が座標（位置）について連続的に（アナログ的に）異なり、画像の切替効果のバリエーションをより幅広く実現することができる。
【００４３】
液晶層７が重合されたら、フィルム１２をカッティングして外形を整えて（Ｓ５４）、製造工程を終了する。このように、紫外線照射をする際にマスクを用したり、温度の調整を行うだけで、簡単に区画領域ごとに電気光学特性が異なる表示素子１を製造することができる。
【００４４】
なお、本実施形態に係る表示素子１を複数枚重ねて、１枚のパネル表示装置とすることもできる。その場合は、各表示素子１ごとに電圧印加部２０が接続される構成となる。このように、複数枚の表示素子１を重ねて各表示素子１ごとに電圧印加部２０の電圧値を制御することで、各表示素子１ごとの画像に加えて、各表示素子１間の画像の組み合わせにより、より多くの画像を表示することが可能になる。例えば、同じ画像をずらして表示することで３Ｄ立体視を可能とする像を表示することができる。
【実施例】
【００４５】
紫外線強度や温度変化に応じて、高分子ネットワークの電気光学特性を異ならせることができることを示す実験を行った。図７及び図８に実験結果を示す。
【００４６】
図７は、製膜時に照射する紫外線の強度を２０ｍＷ／ｃｍ２、３０ｍＷ／ｃｍ２、４０ｍＷ／ｃｍ２とした場合のそれぞれにおける電圧値とＰ．Ｔ値（平行光透過率）との関係（図７（Ａ））及び電圧値とヘイズ値との関係（図７（Ｂ））を示すグラフである。図から明らかなように、紫外線強度に応じて表示素子１の電気光学特性が異なっていることがわかる。すなわち、表示素子１の態様が白濁のＯＦＦ状態から透明のＯＮ状態に変化する際の透明電極３ａ，３ｂ間の電圧値（閾値電圧）が、製膜時に照射する紫外線強度が強くなるほど大きくなっていることがわかる。
【００４７】
図８は、製膜時に加熱する温度を２３℃、２９℃とした場合のそれぞれにおける電圧値とＰ．Ｔ値との関係（図８（Ａ））及び電圧値とヘイズ値との関係（図８（Ｂ））を示すグラフである。図から明らかなように、加熱する温度に応じて表示素子１の電気光学特性が異なっていることがわかる。すなわち、表示素子１の態様が白濁のＯＦＦ状態から透明のＯＮ状態に変化する際の透明電極３ａ，３ｂ間の電圧値（閾値電圧）が、製膜時に加熱する温度が高くなるほど大きくなっていることがわかる。
【００４８】
以上の結果から、製膜時に照射する紫外線強度や加熱する温度に応じて、表示素子１の電気光学特性を変えることができ、複数の区画領域ごとに表示素子１の電気光学特性を異ならせることで、上記の実施形態で示した画像表示の制御が可能であることが示された。
【符号の説明】
【００４９】
１  表示素子
２ａ，２ｂ  透明基板
３ａ，３ｂ  透明電極
４  対向空間
５  高分子ネットワーク
６  液晶分子
７  液晶層
８〜１１（８ａ〜１１ａ）  区画領域
１２  フィルム
１３  マスク
２０  電圧印加手段
【図１】
2013156342.tif 000003
【図２】
2013156342.tif 000004
【図３】
2013156342.tif 000005
【図４】
2013156342.tif 000006
【図５】
2013156342.tif 000007
【図６】
2013156342.tif 000008
【図７】
2013156342.tif 000009
【図８】
2013156342.tif 000010
【図９】
2013156342.tif 000011